(57)【特許請求の範囲】
【請求項１】
軸方向を鉛直方向とされて天井に取り付け可能な筒状のパイプ部と、
前記パイプ部に対して、前記パイプ部の軸方向における天井と反対側に固定されるシャフト部と、
前記シャフト部に対して、前記パイプ部の軸方向における前記パイプ部と反対側に固定されるモータ部と、
前記モータ部における前記パイプ部の軸方向における前記天井側の面の外周縁部に設けられた締結部に一端部側がねじ締結されて回転駆動される回転翼と、
前記パイプ部の軸方向における前記モータ部よりも天井側において前記パイプ部が挿通されて前記パイプ部に固定されるカバー部と、
を備え、
前記カバー部は、
前記パイプ部が挿通する長孔形状のパイプ部挿通孔が上端面部に設けられ、前記パイプ部の軸方向に対して直交する方向からねじにより前記パイプ部に固定され、前記締結部を覆い、
孔軸方向が前記パイプ部の軸方向に対して直交する方向とされて前記ねじが固定されるカバー部固定用孔が側面に形成され、
前記パイプ部挿通孔の長手方向が、前記孔軸方向と平行な方向であること、
を特徴とする天井扇風機。
【発明の詳細な説明】
【技術分野】
【０００１】
本発明は、天井から吊り下げられて設置される天井扇風機に関する。
【背景技術】
【０００２】
天井扇風機は、天井から送出される風を浴びて涼感を得るため、室内空気の攪拌による空調効率の向上のため、あるいは室内の装飾のために、室内の天井から吊り下げられて設置される。特許文献１には、軸方向を鉛直方向とされて天井に固定されるパイプ部と、パイプ部に吊り下げられるモータ部と、モータ部によって回転駆動される回転翼と、モータ部上面を覆い、パイプ部の周囲に配置される円錐形状のカバー部と、を備えた天井扇風機が開示されている。【０００３】
一般的に、天井扇風機においては、モータ部が吊り下げられるとともに周囲にカバー部が配置された状態とされたパイプ部の上部が、天井に固定される。その後、モータ部に回転翼が取り付けられる。【０００４】
特許文献１に開示された天井扇風機においては、モータ部の上面の外周部においてモータ部と回転翼とがねじ締結されている。このため、特許文献１に開示された天井扇風機は、モータ部への回転翼のねじ締結作業が容易である。
【先行技術文献】
【特許文献】
【０００５】
【特許文献１】特開２０１８−９１２５７号公報
【発明の概要】
【発明が解決しようとする課題】
【０００６】
しかしながら、特許文献１に開示された天井扇風機においては、モータ部の上面の外周部においてモータ部と回転翼とがねじ締結されているため、回転翼を締結しているねじ頭が外観上、視認できることから意匠性が損なわれる。【０００７】
一方、回転翼を締結しているねじ頭が視認できないようにモータ部と回転翼とのねじ締結部をカバー部で覆ってしまうことが考えられる。しかしながら、天井扇風機の設置環境、または天井扇風機の仕様によっては、たとえばパイプ部の長さが短く、カバー部の天面と天井との距離が近くなる場合がある。パイプ部の長さが短いため、カバー部をモータ部の上面から浮かせてもモータ部の上面とカバー部との間にドライバーを用いたモータ部と回転翼とのねじ締結作業に必要な隙間が確保できない場合、カバー部を浮かせることが困難となり、カバー部を変形させる、カバー部を取り外すなどの作業が発生し、天井扇風機の施工性が低下する。さらに、カバー部が、パイプ部を複数の部品で囲うような構成とされている場合には、部品点数が増えているため、外した部品の管理が大変になる。そして、このような問題は、天井扇風機の設置時後における保守点検時にも生じうる。【０００８】
本発明は、上記に鑑みてなされたものであって、天井から吊り下げられて設置される天井扇風機において、施工性および保守点検性が良く、意匠性に富んだ天井扇風機を得ることを目的とする。
【課題を解決するための手段】
【０００９】
上述した課題を解決し、目的を達成するために、本発明にかかる天井扇風機は、軸方向を鉛直方向とされて天井に取り付け可能な筒状のパイプ部と、パイプ部に対して、パイプ部の軸方向における天井と反対側に固定されるシャフト部と、シャフト部に対して、パイプ部の軸方向におけるパイプ部と反対側に固定されるモータ部と、を備える。また、天井扇風機は、モータ部におけるパイプ部の軸方向における天井側の面の外周縁部に設けられた締結部に一端部側がねじ締結されて回転駆動される回転翼と、パイプ部の軸方向におけるモータ部よりも天井側においてパイプ部が挿通されてパイプ部に固定されるカバー部と、を備える。カバー部は、パイプ部が挿通する長孔形状のパイプ部挿通孔が上端面部に設けられ、パイプ部の軸方向に対して直交する方向からねじによりパイプ部に固定され、締結部を覆い、孔軸方向がパイプ部の軸方向に対して直交する方向とされてねじが固定されるカバー部固定用孔が側面に形成される。パイプ部挿通孔の長手方向が、孔軸方向と平行な方向である。
【発明の効果】
【００１０】
本発明にかかる天井扇風機は、天井から吊り下げられて設置される天井扇風機において、施工性および施工後の保守点検性が良く、意匠性に富んだ天井扇風機が得られる、という効果を奏する。
【図面の簡単な説明】
【００１１】
【図１】本発明の実施の形態１にかかる天井扇風機の要部斜視図
【図２】図１に示す天井扇風機におけるモータ部の周辺部を示す要部斜視図
【図３】図１に示す天井扇風機におけるカバー部を示す斜視図
【図４】図１に示す天井扇風機におけるパイプ部のねじ締結用孔を示す要部断面図
【図５】図１に示す天井扇風機においてパイプ部がカバー部に挿入された状態を示す分解斜視図
【図６】図１に示す天井扇風機においてパイプ部が挿入されたカバー部が傾けられた状態を示す分解斜視図
【図７】本発明の実施の形態２にかかるカバー部を示す斜視図
【発明を実施するための形態】
【００１２】
以下に、本発明の実施の形態にかかる天井扇風機を図面に基づいて詳細に説明する。なお、この実施の形態によりこの発明が限定されるものではない。
【００１３】
実施の形態１．
図１は、本発明の実施の形態１にかかる天井扇風機１の要部斜視図である。図１においては、一部を切り欠いて内部部品を示している。図２は、図１に示す天井扇風機１におけるモータ部４の周辺部を示す要部斜視図である。図３は、図１に示す天井扇風機１におけるカバー部７を示す斜視図である。図４は、図１に示す天井扇風機１におけるパイプ部２のねじ締結用孔２２を示す要部断面図である。図５は、図１に示す天井扇風機１においてパイプ部２がカバー部７に挿入された状態を示す分解斜視図である。図６は、図１に示す天井扇風機１においてパイプ部２が挿入されたカバー部７が傾けられた状態を示す分解斜視図である。なお、以下における上下方向は、天井扇風機１の設置時における上下方向である。また、以下における水平方向は、天井扇風機１の設置時における水平方向である。
【００１４】
本実施の形態１にかかる天井扇風機１は、軸方向を鉛直方向とされて天井に取り付け可能な筒状のパイプ部２と、パイプ部２の軸方向における天井側に設けられた天井取り付け用ハンガー部１０と、パイプ部２に対してパイプ部２の軸方向における天井と反対側に固定されたシャフト部３と、シャフト部３に対してパイプ部２の軸方向におけるパイプ部２と反対側に固定された動力源であるモータ部４と、モータ部４におけるパイプ部２の軸方向における天井側の面の外周縁部に一端部側がねじ締結されて回転駆動される回転翼５と、モータ部４よりも天井側において、パイプ部２が挿通されて連結部に固定されるカバー保持部６と、パイプ部２の軸方向におけるモータ部４よりも天井側においてパイプ部２が挿通されてパイプ部２に固定されてモータ部４の外周縁部を覆うカバー部７と、パイプ部２が挿入されて天井取り付け用ハンガー部１０を隠すように固定されるハンガーカバー部８と、を備える。
【００１５】
パイプ部２は、円筒形状を有し、天井扇風機１の設置時に中心軸が上下方向に延びるように、すなわち天井扇風機１の設置時に中心軸の軸方向が鉛直方向とされて配置される。パイプ部２の中心軸の軸方向における天井側には、天井に取り付けられたフックに引っ掛けられる天井取り付け用ハンガー部１０が設けられている。天井扇風機１は、予め天井に設けられたＪ形状またはＵ形状を有するフックに天井取り付け用ハンガー部１０が取り付けられることで、天井に設置される。天井取り付け用ハンガー部１０のフック取り付け部１０ａは、ハンガーカバー部８によって覆われている。
【００１６】
また、パイプ部２は、水平方向に貫通した孔である配線出口１１を、天井と反対側に備えている。すなわち、パイプ部２は、天井扇風機１の設置時に、配線出口１１の中心軸の軸方向が水平方向とされて配置される。パイプ部２における配線出口１１の上方には、カバー保持部６がねじ締結によって固定されている。
【００１７】
また、パイプ部２における配線出口１１の下方には、パイプ部２の中心軸の軸方向から見た場合において配線出口１１の中心軸の軸方向と直交し、水平方向に貫通した一対の貫通孔であり、シャフト部３を連結するための不図示のシャフト部連結用孔を備えている。また、図４に示すように、パイプ部２には、カバー部７とのねじ連結に用いられるねじ締結用孔２２が設けられている。ねじ締結用孔２２は、パイプ部２の中心軸の軸方向において後述するカバー部７のカバー部固定用孔１４に対応する位置の外周面に設けられている。
【００１８】
シャフト部３は、中心軸の軸方向が鉛直方向とされて、パイプ部２に固定されている。シャフト部３における上部には、水平方向に貫通した孔である不図示のパイプ部連結用孔が設けられている。そして、シャフト部３の上部には、パイプ部連結用孔を避けて、進相コンデンサ１２等の電気部品を保持可能な電気部品保持台９が装着されている。
【００１９】
シャフト部３とパイプ部２とは、ボルトおよびナットによって固定されている。すなわち、シャフト部３とパイプ部２とは、パイプ部２の下部にシャフト部３の上部が挿入され、パイプ部２に設けられたシャフト部連結用孔とシャフト部３のパイプ部連結用孔とが連通した状態でパイプ部２の連結用孔とシャフト部３の連結用孔とに連結ボルトが差し込まれ、ナットで固定することで固定されている。シャフト部３の中心軸と、パイプ部２の中心軸とは、同軸上に配置されている。
【００２０】
シャフト部３の下端には、回転翼５を駆動する電動機であるモータ部４が固定されている。モータ部４は、パイプ部２の中心軸の軸方向において天井と反対側、すなわちパイプ部２の鉛直方向下方に配置されている。モータ部４は、上面視において円形形状を有する。モータ部４の回転軸とシャフト部３の中心軸とは、同軸上に配置されている。モータ部４の不図示の電源線は、パイプ部２内の中空部を通って、天井の裏に引き込まれ、不図示の電源につながれている。
【００２１】
回転翼５は、モータ部４の外周において均等な間隔で放射状に配置されている。回転翼５は、モータ部４の上面４ａ、すなわち天井方向側の面に設けられた回転翼固定用孔２０に、ねじ２１によりねじ締結されることで、モータ部４の上面４ａの外周縁部に一端側が固定されている。回転翼固定用孔２０は、回転翼５がねじ２１によりねじ締結される締結部であり、カバー部７により覆われる。モータ部４の上面４ａは、天井扇風機１の設置時に水平方向に平行な面とされる。回転翼固定用孔２０は、モータ部４の上面４ａにおけるモータ部４の半径方向の外周側の領域に設けられている。
【００２２】
天井扇風機１は、回転翼５が回転駆動することによって、天井側から床面へ、あるいは床面側から天井への送風を行う。本実施の形態１では、３枚の回転翼５を有する場合について示しているが、回転翼５の枚数は限定されない。天井扇風機１が有する回転翼５の枚数は、例えば４枚であってもよい。
【００２３】
モータ部４とパイプ部２との外周側は、天井扇風機１の意匠を担うカバー部７で覆われている。カバー部７は、上端から下端へ向けて開口面積が大きくなる中空の円錐形状を有する。また、カバー部７の外形は、円錐台形状の半径方向において上端から下端へ向けて外側面が拡がり、モータ部４の外形と連続する、意匠性に富んだ形状を成している。より詳細には、カバー部７は、上端から下端へ向けて開口面積が大きくなる中空の円錐台形状を有する。カバー部７の中心軸と、パイプ部２の中心軸とは、同軸上に配置されている。
【００２４】
カバー部７は、パイプ部２を挿通するための貫通孔であるパイプ部挿通孔１５ａを上端面部７ａに備える。パイプ部挿通孔１５ａは、カバー部７の上端面部７ａにおいて、上端面部７ａを厚み方向に貫通する長孔形状を有する。パイプ部挿通孔１５ａの位置は、カバー部７の上端面部７ａにおいて、カバー部７の中心軸とパイプ部２の中心軸とが同軸上にある状態でパイプ部２をパイプ部挿通孔１５ａに挿通可能な位置とされる。
【００２５】
カバー部７は、カバー部７の外側面である意匠面７ｂの裏側であってカバー部７の上端面部７ａの裏側となる、カバー部７の中空部の上部に、カバー突起部１３が設けられている。カバー突起部１３は、カバー部７の鉛直方向における位置決めを行う。カバー部７は、パイプ部挿通孔１５ａからパイプ部２が挿入され、カバー突起部１３がカバー保持部６に当接することで鉛直方向において位置決めされる。
【００２６】
カバー部７の上部の側面には、孔軸方向がパイプ部２の中心軸の軸方向に対して直交する方向に設けられて、カバー部７をパイプ部２にねじ２３を用いてねじ締結するために用いられるネジ孔であるカバー部固定用孔１４が形成されている。すなわち、カバー部固定用孔１４は、天井扇風機１の設置時に、孔軸方向が水平方向とされる。
【００２７】
カバー部７の上端面部７ａと意匠面７ｂとの外周側の角部には、カバー部７をパイプ部２にねじ締結する際にねじを通すための溝部７ｃが設けられている。溝部７ｃは、円錐台形状の半径方向において上端面部７ａ側からカバー部７の中心軸側に向かって設けられている。溝部７ｃにおけるカバー部７の中心軸側の端部には、上端面部７ａおよび意匠面７ｂに接続された溝内側面７ｄが鉛直方向に沿って設けられている。すなわち、溝部７ｃにおけるカバー部７の中心軸側の端部は閉じられている。
【００２８】
そして、カバー部固定用孔１４は、溝内側面７ｄにおいて、溝内側面７ｄを厚み方向において貫通して設けられている。したがって、カバー部固定用孔１４の孔軸方向は、溝内側面７ｄの厚み方向に平行であり、水平方向に平行である。
【００２９】
そして、カバー部７は、カバー部固定用孔１４とパイプ部２の外周面に設けられたねじ締結用孔２２とを連通させた状態で、ねじ２３を用いてねじ締結されて固定されている。
【００３０】
カバー部７は、パイプ部２におけるシャフト部３に固定される側の一部と、シャフト部３と、モータ部４の上面４ａと、回転翼固定用孔２０と、カバー保持部６と、電気部品保持台９と、配線出口１１と、各連結部であるボルトおよびナットと、を覆っている。
【００３１】
ここで、上述したカバー部７の特徴について説明する。ここでは、天井扇風機１の設置時において、以下の状態において回転翼５をモータ部４にねじ締結する作業について説明する。ハンガーカバー部８によって覆われた天井取り付け用ハンガー部１０が天井に設けられたフックに取り付けられている。パイプ部２の中心軸の軸方向における天井側と反対側には、モータ部４に固定されたシャフト部３が固定されている。また、シャフト部３とハンガーカバー部８との間には、パイプ部挿通孔１５ａにパイプ部２が通されたカバー部７が配置されている。カバー部７とパイプ部２とは、ねじ締結されていない。
【００３２】
上述したように、カバー部７のパイプ部挿通孔１５ａは、カバー部７の上端面部７ａにおいて上端面部７ａを厚み方向に貫通する長孔形状とされている。パイプ部挿通孔１５ａが長孔形状とされることで、図５に示すようにパイプ部挿通孔１５ａにパイプ部２が挿入されるとともにカバー部７がモータ部４の上面４ａから離間した状態において、図６に示すようにカバー部７を傾けることができる。すなわち、カバー部７をモータ部４の上面４ａから浮かせて、カバー部７の中心軸の軸方向をパイプ部２の中心軸の軸方向と異ならせることができる。
【００３３】
これにより、パイプ部挿通孔１５ａにパイプ部２が挿入された状態で、モータ部４の上面４ａに設けられた回転翼固定用孔２０に回転翼５をねじ締結する場合に、モータ部４の上面４ａに設けた回転翼固定用孔２０を水平方向においてカバー部７から露出させることができ、回転翼固定用孔２０を容易に視認することが可能となる。したがって、天井扇風機１は、たとえばパイプ部２の長さが短い場合においても、回転翼固定用孔２０に回転翼５をねじ締結する回転翼５のねじ締結作業を容易に実施することができ、回転翼５のねじ締結の作業性が良く、施工性が良い、という効果を奏する。すなわち、天井扇風機１は、モータ部４の上面４ａへの回転翼５のねじ締結作業が、パイプ部２の長さの影響を受けにくい。
【００３４】
また、カバー部７をカバー部７の側面の円周方向、すなわちモータ部４の円周方向において回転させることにより、モータ部４の上面４ａの外周側の領域の全ての位置において、上述した効果が得られる。
【００３５】
パイプ部挿通孔１５ａの長孔形状における長手方向の長さは、上述した効果が得られる長さであれば特に限定されない。パイプ部挿通孔１５ａの長孔形状における短手方向の長さは、パイプ部２を挿通可能であり、またパイプ部挿通孔１５ａを傾けることが可能な範囲でパイプ部２の直径よりわずかに大きい寸法とされる。
【００３６】
また、パイプ部挿通孔１５ａが長孔形状とされることで、パイプ部挿通孔１５ａにパイプ部２が挿入されるとともにカバー部７がモータ部４の上面４ａから離間した状態において、カバー部７を傾ける代わりに、カバー部７の円錐台形状の半径方向にカバー部７をずらすことも可能である。この場合も、上記のようにカバー部７を傾ける場合と同様の効果が得られる。
【００３７】
また、カバー部７は、カバー部固定用孔１４とパイプ部２の外周面に設けられたねじ締結用孔２２を連通させた状態で、パイプ部２およびカバー部７の中心軸の軸方向に対して直交する方向から、ねじ２３を用いてねじ締結されて固定される。これにより、カバー部７のパイプ部挿通孔１５ａが長孔形状とされていても、パイプ部２を上端面部７ａの面方向において適正な位置に固定することが可能である。
【００３８】
また、カバー部７の外周面からカバー部７の中心軸側に位置する溝内側面７ｄにカバー部固定用孔１４を設けることにより、カバー部７の外周面にカバー部固定用孔１４を設ける場合に比べてパイプ部２に近い位置でカバー部７とパイプ部２とをねじ締結できる。これにより、カバー部７をパイプ部２に対する適正な位置で、確実に固定することができる。
【００３９】
また、カバー部７に設けられた溝部７ｃは、ねじ２３をカバー部固定用孔１４に挿通する際にねじ２３をカバー部固定用孔１４に誘導する機能を有するため、天井扇風機１の施工性の向上に寄与する。
【００４０】
また、天井扇風機１では、カバー部７とモータ部４との外形を、大きな凹凸を有することなくなだらかに連続させることにより意匠性の向上が図られ、また、回転翼５をねじ締結するねじ２１のねじ頭が外観上、視認できないようにねじ２１がカバー部７に覆われることにより意匠性の向上が図られて、意匠性に富んだ外観が実現されている。また、モータ部４における回転翼５をねじ締結する領域をカバー部７から露出させるための制約がないため、意匠に対する自由度が高いカバー部７を実現可能である。
【００４１】
また、カバー部７のパイプ部挿通孔１５ａは、パイプ部挿通孔１５ａの長孔形状の長手方向が、図３において矢印Ａで示されるカバー部固定用孔１４の孔軸方向と、平行な方向とされることが好ましい。パイプ部挿通孔１５ａの長孔形状の長手方向とカバー部固定用孔１４の孔軸方向とが同一方向とされることにより、カバー部７のパイプ部２へのねじ締結による固定のために作用する、ねじ締めトルク、すなわちねじ２３の締め付けトルクによるカバー部７の回転を抑制することができるという効果が得られる。
【００４２】
また、天井扇風機１の設置後における保守点検時にモータ部４の上面４ａなどを点検する場合においても、上記と同様の効果が得られる。すなわち、天井扇風機１は、モータ部４の上面４ａなどの点検作業がパイプ部２の長さの影響を受けにくく、設置後の保守点検が容易である。
【００４３】
たとえばカバー部とモータ部との外形が連続した意匠性に富んだ天井扇風機において、カバー部のパイプ部挿通孔が円形状であった場合には、モータ部の上面に設けられた回転翼固定用孔に回転翼をねじ締結する場合、ドライバーを用いて回転翼をねじ締結できる高さまでカバー部を持ち上げる必要がある。パイプ部の長さは、天井扇風機の仕様によって多様である。
【００４４】
このため、モータ部の上面に設けられた回転翼固定用孔への回転翼のねじ締結作業を行う際にドライバーを用いて回転翼をねじ締結できる高さまでカバー部を持ち上げることができない、パイプ部が短い天井扇風機も存在する。すなわち、カバー部を持ち上げた際に、ハンガーカバー部の底面とカバー部の上端面部との間のパイプ部が短いために、ドライバーを用いた回転翼のねじ締結作業が可能なカバー部の高さを確保することができない天井扇風機も存在する。このような構成を有する天井扇風機は、場合によっては、出荷時に組み付けられた天井取り付け用ハンガー部をパイプ部から取り外し、ハンガーカバー部およびカバー部をパイプ部から取り外した後に、回転翼固定用孔への回転翼のねじ締結作業を行う必要があるため、施工性の極めて悪い天井扇風機といえる。
【００４５】
一方、本実施の形態１にかかる天井扇風機１は、パイプ部２が短く、ハンガーカバー部８の底面とカバー部７の上端面部７ａとがドライバーを用いた回転翼５のねじ締結作業が不可能な程度に近接した場合であっても、カバー部７を傾ける、あるいはカバー部７をカバー部７の円錐台形状の半径方向にずらすだけで、モータ部４の上面４ａに設けられた回転翼固定用孔２０を露出させて視認することが可能となる。このため、天井扇風機１は、回転翼５の施工性を損なうことなく、意匠性に富んだ天井扇風機１を構成できる。
【００４６】
なお、本実施の形態１では、カバー部７の形状が中空の円錐形状である場合について示しているが、カバー部７の形状は円錐形状に限定されない。カバー部７の形状は、パイプ部２を挿通可能な筒状であればよく、たとえば、中空の四角錐形状、より詳細には、中空の四角錐台形状であってもよい。
【００４７】
上述したように、本実施の形態１にかかる天井扇風機１は、施工性および施工後の保守点検性が良く、意匠性に富んだ天井扇風機が得られる、という効果を奏する。
【００４８】
実施の形態２．
図７は、本発明の実施の形態２にかかるカバー部７１を示す斜視図である。上述した実施の形態１にかかる天井扇風機１において、カバー部７の代わりに、本実施の形態２にかかるカバー部７１を使用してもよい。
【００４９】
カバー部７１は、カバー部７においてパイプ部挿通孔１５ａの代わりにパイプ部挿通孔１５ｂを有する。パイプ部挿通孔１５ｂは、カバー部７１の上端面部７ａにおいて、上端面部７ａを厚み方向に貫通する長孔形状を有する。パイプ部挿通孔１５ｂは、パイプ部挿通孔１５ｂの長孔形状の長手方向が、図７において矢印Ｂで示されるように、矢印Ａで示されるカバー部固定用孔１４の孔軸方向とカバー部７１の上端面部７ａにおいて直交する方向とされている。
【００５０】
パイプ部挿通孔１５ｂは、長孔形状の長手方向がパイプ部挿通孔１５ａと異なるが、長孔形状とされたことにより、パイプ部２が挿通された状態においてカバー部７１を傾けることが可能となる。これにより、パイプ部挿通孔１５ｂを有するカバー部７１を用いる場合も、パイプ部挿通孔１５ａを有するカバー部７を用いる場合と同様にモータ部４の上面４ａに設けられた回転翼固定用孔２０を容易に視認することができ、パイプ部２の長さが短い天井扇風機であっても、回転翼５のねじ締結作業が容易になる。
【００５１】
また、パイプ部挿通孔１５ｂの長孔形状の長手方向とカバー部固定用孔１４の孔軸方向とがカバー部７１の上端面部７ａにおいて直交する方向とされることにより、カバー部７１の固定は、ねじ２３をパイプ部２へ突き当てるだけで実現可能となるため、任意の高さでの固定が可能となる。また、カバー部７を用いる場合には必要であった、カバー部７とのねじ連結に用いられるねじ締結用孔２２をパイプ部２に設ける必要性が無く、カバー部７１のカバー部固定用孔１４とパイプ部のねじ締結用孔２２とを連通させる作業も無くなる。このため、カバー部７１を用いることにより、天井扇風機１の部品の加工費を抑制して安価に天井扇風機１を生産することができ、且つカバー部７１も容易に固定できる。
【００５２】
なお、パイプ部挿通孔１５ｂでは、カバー部７１のパイプ部２へのねじ締結時、カバー部７１の固定のために作用するねじ締めトルクによるカバー部７１の回転を抑制する効果を得にくい場合には、カバー部７１をパイプ部２に固定した後に、カバー部７１の傾きを修正すればよい。
【００５３】
上述したように、本実施の形態２にかかるカバー部７１を実施の形態１にかかる天井扇風機１に使用した場合も、実施の形態１の場合と同様に、施工性および施工後の保守点検性が良く、意匠性に富んだ天井扇風機が得られる、という効果を奏する。
【００５４】
また、カバー部７１を実施の形態１にかかる天井扇風機１に使用した場合は、カバー部７を使用する場合に比べて、安価に天井扇風機１を生産することができ、且つカバー部７１も容易に固定できる。
【００５５】
したがって、上述した各実施の形態にかかる天井扇風機１によれば、カバー部７，７１に設けられたパイプ部挿通孔１５ａ，１５ｂが長孔形状とされている。これにより、天井扇風機１の意匠を担うカバー部７，７１の外形がモータ部４の外形と連続した構成されて回転翼固定用孔２０がカバー部７，７１に覆われ、パイプ部２の長さが短い場合でも、カバー部７，７１を傾けることで、モータ部４の上部に設けられた回転翼固定用孔２０が視認できる。このため、回転翼５のねじ締結作業性およびモータ部４の上面４ａ等の保守点検性が高く、意匠性にも富んだ天井扇風機１が得られる、という効果を奏する。
【００５６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５７】
１  天井扇風機、２  パイプ部、３  シャフト部、４  モータ部、４ａ  上面、５  回転翼、６  カバー保持部、７，７１  カバー部、７ａ  上端面部、７ｂ  意匠面、７ｃ  溝部、７ｄ  溝内側面、８  ハンガーカバー部、９  電気部品保持台、１０  天井取り付け用ハンガー部、１０ａ  フック取り付け部、１１  配線出口、１２  進相コンデンサ、１３  カバー突起部、１４  カバー部固定用孔、１５ａ，１５ｂ  パイプ部挿通孔、２０  回転翼固定用孔、２２  ねじ締結用孔。
【図１】
0006983337.tif 000002
【図２】
0006983337.tif 000003
【図３】
0006983337.tif 000004
【図４】
0006983337.tif 000005
【図５】
0006983337.tif 000006
【図６】
0006983337.tif 000007
【図７】
0006983337.tif 000008